(57)【特許請求の範囲】
【請求項１】
取引金額に応じたポイントを付与するカード決済装置であって、
カードに記録されているカード情報を読み取る読取手段と、
前記カード情報に基づいて前記取引金額の決済を行う決済手段と、
前記カード情報にカード決済会社との連携を示す連携コードが含まれているか否かを判定する第１判定手段と、
前記第１判定手段により前記連携コードが含まれないと判定された場合、ポイント付与の実績があるカードのカード情報を登録したテーブルに基づいて、前記読取手段により読み取られたカード情報のカードに対し、ポイントを付与した実績があるか否かを判定する第２判定手段と、
前記第１判定手段により前記連携コードが含まれていると判定された場合又は前記第２判定手段により実績ありと判定された場合に、前記取引金額に応じたポイントを付与する付与手段と、
を備えるカード決済装置。
【請求項２】
前記第２判定手段により実績ありと判定された場合に、ポイント付与の実行を確認する第１確認画面を表示する第１確認手段を更に備え、
前記付与手段は、前記第１確認画面に基づきポイント付与の実行が指示された場合に、前記取引金額に応じたポイントを付与する請求項１に記載のカード決済装置。
【請求項３】
前記第２判定手段により実績なしと判定された場合に、前記テーブルへの登録を確認する第２確認画面を表示する第２確認手段と、
前記第２確認画面に基づき前記テーブルへの登録が指示された場合に、前記読取手段により読み取られたカード情報を前記テーブルに登録する登録手段と、
を更に備える請求項１又は２に記載のカード決済装置。
【請求項４】
前記付与手段は、前記登録手段により前記読取手段で読み取られたカード情報が前記テーブルに登録された場合に、前記取引金額に応じたポイントを付与する請求項３に記載のカード決済装置。
【請求項５】
前記付与手段は、前記カード情報に関連付けてポイントを付与する請求項１〜４の何れか一項に記載のカード決済装置。
【請求項６】
取引金額に応じたポイントを付与するカード決済装置のコンピュータを、
カードに記録されているカード情報を読み取る読取手段と、
前記カード情報に基づいて前記取引金額の決済を行う決済手段と、
前記カード情報にカード決済会社との連携を示す連携コードが含まれているか否かを判定する第１判定手段と、
前記第１判定手段により前記連携コードが含まれないと判定された場合、ポイント付与の実績があるカードのカード情報を登録したテーブルに基づいて、前記読取手段により読み取られたカード情報のカードに対し、ポイントを付与した実績があるか否かを判定する第２判定手段と、
前記第１判定手段により前記連携コードが含まれていると判定された場合又は前記第２判定手段により実績ありと判定された場合に、前記取引金額に応じたポイントを付与する付与手段と、
して機能させるためのプログラム。
【発明の詳細な説明】
【技術分野】
【０００１】
本発明の実施形態は、カード決済装置及びプログラムに関する。
【背景技術】
【０００２】
従来、量販店等の店舗においては、ＰＯＳ（Point  Of  Sales：販売時点データ管理）端末やＥＣＲ（Electronic  Cash  Register）装置等の販売登録装置に、カード決済用のカード決済装置が接続されて用いられている。係るカード決済装置では、磁気カードやＩＣ（Integrated  Circuit）カードに保存された情報をカード会社に送信することによって、決済を行うことが可能となっている。
【０００３】
また、店舗では、商品購入時にその商品購入額に応じたポイントを算出し、顧客毎に付与するポイントサービスが提供されている。係るポイントサービスでは、ポイントを発行する店舗とカード会社とが連携することで、このカード会社から発行されるカード（以下、連携カードという）にポイント機能が付加されていることを示したコード（以下、連携コードという）を保持させることが行われている。店舗側では、連携コードに基づき連携カードか非連携カードかを判別し、連携カードであった場合その連携カードに関連付けてポイントを付与することで、カード決済とポイント付与とに係る処理を連続的に行なっている。
【発明の概要】
【発明が解決しようとする課題】
【０００４】
しかしながら、非連携カードの場合には、カード決済から自動的にポイント付与に遷移することができないため、カード決済後、決済金額の入力や非連携カードの読み取り等を再度行うことでポイントを付与している。このような事情から、非連携カードを用いた場合には、カード決済からポイント付与への移行を効率的に行うことができないという問題があった。
【課題を解決するための手段】
【０００５】
実施形態のカード決済装置は、取引金額に応じたポイントを付与するカード決済装置であって、読取手段と、決済手段と、第１判定手段と、第２判定手段と、付与手段と、を備える。読取手段は、カードに記録されているカード情報を読み取る。決済手段は、前記カード情報に基づいて前記取引金額の決済を行う。第１判定手段は、前記カード情報にカード決済会社との連携を示す連携コードが含まれているか否かを判定する。第２判定手段は、前記第１判定手段により前記連携コードが含まれないと判定された場合、ポイント付与の実績があるカードのカード情報を登録したテーブルに基づいて、前記読取手段により読み取られたカード情報のカードに対し、ポイントを付与した実績があるか否かを判定する。付与手段は、前記第１判定手段により前記連携コードが含まれていると判定された場合又は前記第２判定手段により実績ありと判定された場合に、前記取引金額に応じたポイントを付与する。
【図面の簡単な説明】
【０００６】
【図１】図１は、実施形態に係るＰＯＳシステムの構成を示す図である。
【図２】図２は、カード決済装置の電装系の構成を示すブロック図である。
【図３】図３は、業務選択画面の一例を示す図である。
【図４】図４は、第１確認画面の一例を示す図である。
【図５】図５は、第２確認画面の一例を示す図である。
【図６】図６は、カード決済装置で行われるカード決済処理の手順を示すフローチャートである。
【発明を実施するための形態】
【０００７】
以下、添付図面を参照して、カード決済装置及びプログラムの実施形態を詳細に説明する。なお、以下に説明する実施形態は、カード決済装置及びプログラムの一実施形態であって、その構成や仕様等を限定するものではない。本実施形態は、スーパーマーケット等の店舗に導入された、一取引にかかる商品の登録・精算を行うＰＯＳシステムへの適用例である。また、本店舗では、顧客の商品購入額（支払金額）に対して、所定の還元率でポイントを付与するポイントサービスが提供されているものとする。
【０００８】
図１は、本実施形態に係るＰＯＳシステム１の構成を示す図である。同図に示すように、ＰＯＳシステム１は、カード決済装置１００と、ＰＯＳ端末３００とを有する。ここで、カード決済装置１００にはピンパッド端末２００が接続されている。また、カード決済装置１００と、ピンパッド端末２００との間は、有線又は無線により通信可能に接続されている。
【０００９】
カード決済装置１００は、ＩＣカードや磁気カードからカード情報を読み取り、カード会社のサーバと通信することでカード決済処理を行う決済機能を有する装置である。
【００１０】
図１に示すように、カード決済装置１００の本体１０１の側部には電源スイッチ１０２が設けられている。また、本体１０１の上部には、本体１０１に対して開閉可能な上面パネル１０３が設けられている。上面パネル１０３を開くことで本体１０１内部にレシート用紙をセットすることができる。そして、この上面パネル１０３の表面には、タッチパネルを表面に配設した表示部１０４が設けられている。
【００１１】
本体１０１の側面上部には、決済用のカードから当該カードに格納されている情報を読み取るカードリーダ１０５が設けられている。決済用のカードとしては、例えば、クレジットカードやデビットカード等を挙げることができる。
【００１２】
また、本体１０１内部には、上述のレシート用紙に決済に関する情報等を印刷するプリンタ１０６（図２参照）が備えられている。印刷後のレシート用紙は、本体１０１と上面パネル１０３との間に設けられているレシート発行口１０８から発行される。さらに、上面パネル１０３には、カードリーダ１０５が読み込んだカード情報や、タッチパネル式の表示部１０４から入力された入力情報をクリアするリセットボタン１０７が設けられている。
【００１３】
ピンパッド端末２００は、カード利用者がＩＣカード等の暗証番号を入力する場合に用いる装置である。図１に示すように、ピンパッド端末２００の本体背面には、ＩＣカード等を差し込むカード差込口２０１が設けられている。また、ピンパッド端末２００の本体上部には、カード利用者が暗証番号（PIN：Personal  Identification  Number）を入力する場合に用いるピンパッド２０２が設けられている。なお、表示部１０４のタッチパネルを用いて暗証番号を入力する形態の場合には、本システムからピンパッド端末２００を取り除いた構成としてもよい。
【００１４】
ＰＯＳ端末３００は、客が購入する商品の会計処理を行う装置であり、現金決済の場合に一取引の決済処理を行う。また、クレジットカードやデビットカード等のカード決済を行う場合には、ＰＯＳ端末３００はカード決済装置１００と連動して一取引の決済処理（カード決済処理）を行う。
【００１５】
ＰＯＳ端末３００は、量販店等の店舗で一般的に用いられるＰＯＳ端末と同等の構成を有している。即ち、図１に示すように、ＰＯＳ端末３００の本体３０１の上部には、店員用の表示部３０２と客用の表示部３０３とが設けられている。各表示部３０２、３０３は、ＬＣＤ（Liquid  Crystal  Display）或いはタッチパネルを表面に配設したＬＣＤによって構成され、商品名や商品の金額、一取引の合計金額等を表示する。また、本体３０１の上面には、キーボード３０４が配設されており、現金決済又はクレジット決済等の決済方法を選択する現金決済キーやクレジット決済キー等が設けられている。さらに、本体３０１内部にはレシート等を印刷するプリンタ３０５が設けられている。プリンタ３０５によって印刷されたレシート用紙は、本体３０１上部に設けられたレシート発行口３０６から発行される。
【００１６】
次に、カード決済装置１００の電装系の構成について説明する。図２は、カード決済装置１００の電装系の構成を示すブロック図である。
【００１７】
図２に示すように、カード決済装置１００は、制御部として機能するＣＰＵ１１０に、表示コントローラ１１１、リセットボタン１０７、電源スイッチ１０２、カードリーダ１０５、プリンタ１０６、メモリ１１２等が、各種バスやインタフェースを介して接続されて構成されている。また、表示コントローラ１１１には、図１に示した表示部１０４が接続される。さらに、ＣＰＵ１１０は、通信Ｉ／Ｆ（インタフェース）１１３等を介してピンパッド端末２００やＰＯＳ端末３００、図示しない外部装置（例えばセンタサーバ）等と相互に通信可能となっている。
【００１８】
表示コントローラ１１１は、制御部の制御の下、表示部１０４における入出力処理を制御する。図２に示すように、表示部１０４は、ＬＣＤ１０４ａと、ＬＣＤ１０４ａ上に設けられたタッチパネル１０４ｂとを備えている。ＣＰＵ１１０が表示コントローラ１１１を介して表示部１０４を制御することにより、表示部１０４はＧＵＩ（Graphical  User  Interface）として機能する。即ち、表示コントローラ１１１は、メモリ１１２に格納されている各種表示画面をＬＣＤ１０４ａに表示する。また、表示コントローラ１１１は、タッチパネル１０４ｂにおけるタッチ入力をタッチ位置に対応付けて受け付ける。
【００１９】
メモリ１１２は、Ｒｅａｄ／Ｗｒｉｔｅ可能な不揮発性の記憶媒体であって、ＣＰＵ１１０が実行する各種プログラムや、ＬＣＤ１０４ａに表示される各種表示画面に関するデータを記憶する。また、メモリ１１２は、後述するポイント実績テーブル１１２ａを記憶する。ＣＰＵ１１０は、図示しないＲＯＭ、ＲＡＭ等のコンピュータ構成により、メモリ１１２に格納されている各種プログラムを読み出して実行することで、表示制御部１２１、カード決済処理部１２２及びポイント付与部１２３を、機能部として実現させる。
【００２０】
ここで、表示制御部１２１は、表示コントローラ１１１を制御して、各種画面をＬＣＤ１０４ａに表示させる。例えば、表示制御部１２１は、メモリ１１２のプログラムに従って、各種の操作画面等を表示する。
【００２１】
図３は、表示制御部１２１が表示する操作画面の一例を示す図である。同図では、カード決済装置１００の動作モードの選択を促す操作画面（選択画面Ｇ１）を表示した例を示している。ここでは、カード決済装置１００の動作モードとして、業務モードと、集計モードと、設定モードと、練習モードと、再印字モードとを挙げており、タブＴ１〜Ｔ５の操作により一の動作モードが選択されるよう構成されている。
【００２２】
タブＴ１に対応する業務モードは、カード決済処理を行うための動作モードである。図３では、タブＴ１が選択された状態を示しており、カード決済に使用するカードを選択するための選択項目Ｔ１１〜Ｔ１５を画面内に表示している。
【００２３】
タブＴ２に対応する集計モードは、集計処理を行うための動作モードである。集計処理としては、例えば、一日分のカード決済処理の集計結果を出力する日計データ出力や、総売上や客数等の所定の項目の集計結果を出力する売上レポート出力等が挙げられる。
【００２４】
タブＴ３に対応する設定モードは、カード決済装置１００の動作に係る各種設定を行うための動作モードである。タブＴ４に対応する練習モードは、カード決済等の業務を模擬的に行う練習用の動作モードである。また、タブＴ５に対応する再印字モードは、カード決済処理や集計処理で印字されたレシートやレポート等の再発行と行う動作モードである。
【００２５】
図２に戻り、カード決済処理部１２２は、図３で説明した選択画面Ｇ１から、タブＴ１の業務モードが選択された場合に動作する、カード決済処理を行うための機能部である。
【００２６】
より詳細には、カード決済処理部１２２は、カードリーダ１０５を介してＩＣカードや磁気カードからカード情報を読み込むと、図示しないＲＡＭやメモリ１１２に一時記憶する。また、カード決済処理部１２２は、表示制御部１２１が表示する操作画面と協働することで、取引金額や支払い区分等の取引データの入力を受け付け、図示しないＲＡＭやメモリ１１２に一時記憶する。また、カード決済処理部１２２は、カード情報及び取引データを図示しない通信線を介してカード会社のサーバに送信することでカード決済を行う。そして、カード決済処理部１２２は、プリンタ１０６を制御することで、カード決済の内訳を伝票等に出力（印字）するとともに、このカード決済に係る取引データを図示しないサーバ装置等に保存する。
【００２７】
ポイント付与部１２３は、カード決済での取引金額に応じて、ポイントの算出及び付与を行う機能部である。また、ポイント付与部１２３は、プリンタ１０６を制御することで、ポイント付与の結果を伝票等に出力（印字）する。付与されたポイントは、例えば、次回以降の商品購入時に値引のために利用したり、一定数量のポイントを商品や金券に引き換えることに利用することができる。
【００２８】
より詳細には、ポイント付与部１２３は、一時記憶されたカード情報に、ポイント機能が付加されていることを示す連携コードが含まれているか否かを識別する。連携コードが含まれていると判定した場合、ポイント付与部１２３は、そのカード（カード情報）を連携カードと判別し、取引金額に応じて算出したポイントを当該連携カードに関連付けて付与する。ここで「ポイントの付与」とは、カード情報に含まれた一部又は全ての要素（例えば、カード番号等）、或いは当該要素に予め関連付けられたユーザ固有情報と関連付けて、各顧客のポイントを管理する外部装置（センタサーバ等）に算出したポイントを累積記憶させることを意味する。
【００２９】
一方、カード情報に連携コードが含まれていな場合、ポイント付与部１２３は、そのカード（カード情報）を非連携カードと判別する。この場合、ポイント付与部１２３は、メモリ１１２に保持されたポイント実績テーブル１１２ａに基づき、その非連携カードにポイントを付与した実績があるか否かを判定する。ここで、ポイント実績テーブル１１２ａは、過去にポイントを付与した実績のある非提携カードのカード情報の一部又は全ての要素が格納されている。
【００３０】
ポイント付与部１２３は、処理の対象となった非提携カードのカード情報をポイント実績テーブル１１２ａから検索することで、ポイント付与の実績があるか否かを判定する。具体的には、処理の対象となった非提携カードのカード情報がポイント実績テーブル１１２ａに存在する場合、ポイント付与部１２３は、ポイント付与の実績ありと判定する。また、処理の対象となった非提携カードのカード情報がポイント実績テーブル１１２ａに存在しない場合、ポイント付与部１２３は、ポイント付与の実績なしと判定する。
【００３１】
ポイント付与の実績ありと判定した場合、ポイント付与部１２３は、カード決済装置１００の操作者に、ポイント付与の実行を確認する画面（以下、第１確認画面という）を、表示制御部１２１と協働することで表示部１０４に表示させる。
【００３２】
図４は、第１確認画面の一例を示す図である。同図に示すように、第１確認画面Ｇ２には、ポイント実績テーブル１１２ａから検索されたカード情報Ａ１が表示される。カード決済装置１００の操作者は、この第１確認画面Ｇ２に表示されたカード情報Ａ１を確認し、ポイントを付与する場合には、継続を指示する「Ｙｅｓ」ボタンＢ１を操作する。また、ポイントを付与しない場合には、「Ｎｏ」ボタンＢ２を操作する。
【００３３】
ポイント付与部１２３は、「Ｙｅｓ」ボタンＢ１の操作等によりポイントを付与する指示を受け付けると、取引金額に応じて算出したポイントをポイント実績テーブル１１２ａから検索したカード情報に関連付けて付与する。ここでのポイント付与の仕方は、上記提携カードの場合と同様、カード情報に含まれる一部又は全ての要素（例えば、カード番号等）、或いは当該要素に予め関連付けられたユーザ固有情報と関連付けて、各顧客のポイントを管理する外部装置（センタサーバ等）に算出したポイントを累積記憶させる。なお、「Ｎｏ」ボタンＢ２が操作された場合には、ポイント付与部１２３は、ポイントの付与を抑止する。
【００３４】
また、ポイント付与の実績なしと判定した場合、ポイント付与部１２３は、カード決済装置１００の操作者にポイント実績テーブル１１２ａへのカード情報の登録を促す画面（以下、第２確認画面という）を、表示制御部１２１と協働することで表示部１０４に表示させる。
【００３５】
図５は、第２確認画面の一例を示す図である。同図に示すように、第２確認画面Ｇ３には、ポイント付与の実績がないことを示す報知情報Ａ２が表示される。また、第２確認画面Ｇ３には、ポイント実績テーブル１１２ａへの登録を指示する「登録」ボタンＢ３と、処理の終了を指示する「終了」ボタンＢ４とが表示される。カード決済装置１００の操作者は、ポイント実績テーブル１１２ａへの登録を行う場合には、「登録」ボタンＢ３を操作する。また、ポイント実績テーブル１１２ａへの登録を行わず処理を終了する場合には、「終了」ボタンＢ４を操作する。
【００３６】
ポイント付与部１２３は、「登録」ボタンＢ３の操作によりポイント実績テーブル１１２ａへの登録指示を受け付けると、図示しないＲＡＭやメモリ１１２に一時記憶されているカード情報を、ポイント実績テーブル１１２ａに登録する。また、ポイント付与部１２３は、ポイント実績テーブル１１２ａへのカード情報の登録後、そのカード情報に関連付けてポイントを付与する。なお、「終了」ボタンＢ４が操作された場合には、一時記憶されたカード情報等を消去し、処理を終了する。
【００３７】
このように、カード決済装置１００では、顧客から提示されたカードが非連携カードの場合に、当該非連携カードのカード情報をポイント実績テーブル１１２ａに登録し、当該カード情報に関連付けてポイント付与を行う。これにより、カード決済とポイント付与とに係る処理を連続して行うことができるため、提携カードを用いた場合と同様、カード決済からポイント付与への移行を効率的に行うことができる。
【００３８】
なお、図２では、上述した動作モードのうち、業務モードに係るカード決済処理部１２２を図示したが、他の動作モードについてもその機能を司る機能部が存在するものとする。
【００３９】
次に、図６を用いて上述したカード決済装置１００の動作について説明する。図６は、カード決済装置１００で行われるカード決済処理の手順を示すフローチャートである。
【００４０】
まず、カード決済処理部１２２は、カードリーダ１０５を介してＩＣカードや磁気カードに記録されたカード情報を読み取り、ＲＡＭやメモリ１１２に一時記憶する（ステップＳ１１）。次に、カード決済処理部１２２は、表示制御部１２１が表示する操作画面を介して、取引金額や支払い区分等の取引データの入力を受け付けると、その取引データをＲＡＭやメモリ１１２に一時記憶する（ステップＳ１２）。
【００４１】
続いて、カード決済処理部１２２は、カード情報及び取引データをカード会社のサーバに送信することでカード決済を行う（ステップＳ１３）。カード決済処理部１２２は、プリンタ１０６を制御することで、カード決済の内訳を伝票等に出力（印字）する（ステップＳ１４）。そして、カード決済処理部１２２は、このカード決済に係る取引データ等を図示しないサーバ装置等に保存する（ステップＳ１５）。なお、ステップＳ１５において、カード会社のサーバから決済不可を示す応答が得られた場合には、その旨を示すエラー画面を表示部１０４に表示するものとする。
【００４２】
次に、ポイント付与部１２３は、ステップＳ１１で読み込まれたカード情報に基づき、当該カード情報に提携コードが含まれているか否かを判定する（ステップＳ１６）。ここで、提携コードが含まれていると判定した場合（ステップＳ１６；Ｙｅｓ）、ポイント付与部１２３は提携カードと判別し、ステップＳ２３に移行する。
【００４３】
また、ステップＳ１６おいて、カード情報に提携コードが含まれていないと判定した場合（ステップＳ１６；Ｎｏ）、ポイント付与部１２３は非提携カードと判別する。この場合、ポイント付与部１２３は、この非提携カードのカード情報がポイント実績テーブル１１２ａに登録されているか否かに基づいて、ポイント付与の実績の有無を判定する（ステップＳ１７）。ここで、ポイント実績テーブル１１２ａにカード情報が登録されていた場合、ポイント付与部１２３は、ポイント付与の実績ありと判定し（ステップＳ１７；Ｙｅｓ）、表示部１０４に第１確認画面（図４参照）を表示する（ステップＳ１８）。
【００４４】
第１確認画面からポイントを付与する指示を受け付けると（ステップＳ１９；Ｙｅｓ）、ポイント付与部１２３は、ステップＳ２３に移行する。なお、第１確認画面からポイントを付与しない指示を受け付けた場合には（ステップＳ１９；Ｎｏ）、一時記憶したデータ（カード情報及び取引データ）をクリアした後（ステップＳ２８）、本処理を終了する。
【００４５】
また、ステップＳ１７において、非提携カードのカード情報がポイント実績テーブル１１２ａに登録されていない判定した場合、ポイント付与部１２３は、ポイント付与の実績なしと判定し（ステップＳ１７；Ｎｏ）、表示部１０４に第２確認画面（図５参照）を表示する（ステップＳ２０）。
【００４６】
第２確認画面からポイント実績テーブル１１２ａへの登録指示を受け付けると（ステップＳ２１；Ｙｅｓ）、ポイント付与部１２３は、非提携カードのカード情報をポイント実績テーブル１１２ａへ登録し（ステップＳ２２）、ステップＳ２３に移行する。なお、第２確認画面から登録を行わない指示を受け付けた場合には（ステップＳ２１；Ｎｏ）、一時記憶したデータ（カード情報及び取引データ）をクリアした後（ステップＳ２８）、本処理を終了する。
【００４７】
続くステップＳ２３において、ポイント付与部１２３は、ポイント算出の基となる取引金額を取得する（ステップＳ２３）。ここで、取引金額は、ステップＳ１２で入力された取引金額であってもよいし、新たに入力される形態としてもよい。
【００４８】
続いて、ポイント付与部１２３は、ステップＳ２３で取得した取引金額に基づいて、付与の対象となるポイントを算出し（ステップＳ２４）、付与対象のカード（提携カード又は非提携カード）に関連付けて付与する（ステップＳ２５）。次いで、ポイント付与部１２３は、プリンタ１０６を制御することで、ポイント付与の結果を伝票等に出力（印字）する（ステップＳ２６）。また、ポイント付与部１２３は、このポイント付与の結果を、図示しないサーバ装置等に保存する（ステップＳ２７）。
【００４９】
そして、ポイント付与部１２３は、一時記憶したデータ（カード情報及び取引データ）をクリアした後（ステップＳ２８）、本処理を終了する。
【００５０】
以上のように、本実施形態のカード決済装置１００によれば、顧客から提示されたカードが連携カードか非連携カードを判別し、非連携カードであった場合にポイント付与の実績があるか否かを判定する。そして、ポイント付与の実績がある場合には、当該カード情報に関連付けてポイントを付与する。これにより、カード決済とポイント付与とに係る処理を連続して行うことができるため、提携カードを用いた場合と同様、カード決済からポイント付与への移行を効率的に行うことができる。また、カード決済及びポイント付与に要する時間も短縮することができるため、業務の円滑化を図ることができる。
【００５１】
また、ポイント付与の実績があった場合には、ポイント付与を行うか否かを確認する画面（第１確認画面）を提示し、操作者からの操作に応じてポイント付与を行う。これにより、不用意にポイント付加が行われてしまうことを防ぐことができるため、ポイント付与の際の利便性を向上させることができる。
【００５２】
また、ポイント付与の実績がない場合には、ポイント実績テーブル１１２ａへの登録を確認する画面（第２確認画面）を提示し、操作者からの操作に応じてポイント実績テーブル１１２ａへの登録を行う。これにより、不用意にポイント付加が行われてしまうことを防ぐことができるため、ポイント付与の際の利便性を向上させることができる。
【００５３】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００５４】
例えば、上記実施形態のカード決済処理では、カード決済の内訳とポイント付与結果とを個別に出力する形態としたが、同一タイミングや同一用紙に出力する形態としてもよい。
【００５５】
また、上記実施形態では、本発明を情報処理装置であるカード決済装置１００に適用した例を説明したが、この例に限らず、他の情報処理装置に適用してもよい。例えば、カード決済装置１００とＰＯＳ端末３００とを一体化した装置に適用してもよい。
【００５６】
また、上記実施形態のカード決済装置１００で実行されるプログラムは、ＲＯＭ等に予め組み込まれて提供されるものとするが、これに限らず、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５７】
さらに、上記実施形態のカード決済装置１００で実行されるプログラムを、インターネット等のネットワークに接続されたコンピュータ上に格納し、ネットワーク経由でダウンロードさせることにより提供するように構成してもよい。また、本実施形態のカード決済装置１００で実行されるプログラムを、インターネット等のネットワーク経由で提供又は配布するように構成してもよい。
【００５８】
上記実施形態のカード決済装置１００で実行されるプログラムは、上述した各部（表示制御部１２１、カード決済処理部１２２、ポイント付与部１２３）を含むモジュール構成となっており、実際のハードウェアとしてはＣＰＵ（プロセッサ）が上記ＲＯＭからプログラムを読み出して実行することにより上記各部が主記憶装置上にロードされ、主記憶装置上に生成されるようになっている。
【符号の説明】
【００５９】
１…ＰＯＳシステム、１００…カード決済装置、１０１…本体、１０２…電源スイッチ、１０３…上面パネル、１０４…表示部、１０４ａ…ＬＣＤ、１０４ｂ…タッチパネル、１０５…カードリーダ、１０６…プリンタ、１０７…リセットボタン、１０８…レシート発行口、１１０…ＣＰＵ、１１１…表示コントローラ、１１２…メモリ、１１３…通信インタフェース、１２１…表示制御部、１２２…カード決済処理部、１２３…ポイント付与部、２００…ピンパッド端末、２０１…カード差込口、２０２…ピンパッド、３００…ＰＯＳ端末、３０１…本体、３０２…表示部、３０３…表示部、３０４…キーボード、３０５…プリンタ、３０６…レシート発行口
【先行技術文献】
【特許文献】
【００６０】
【特許文献１】特開２００１−１０１４８６号公報
【図１】
0005620524.tif 000002
【図２】
0005620524.tif 000003
【図３】
0005620524.tif 000004
【図４】
0005620524.tif 000005
【図５】
0005620524.tif 000006
【図６】
0005620524.tif 000007